(57)【要約】【課題】曲げ加工の作業能率の維持を図りつつ、交換時における金型１２，１４の移送距離を短くして、金型１２，１４の交換の作業能率を高めること。【解決手段】金型収納ラック１０は、箱型のラック本体２６を具備しており、ラック本体２６は、奥行方向の一方側に、矩形の本体開口部２６ａを有している。ラック本体２６は、その内側に、箱型の主収納棚３２を備えており、主収納棚３２は、ラック本体２６の本体開口部２６ａから奥行方向の一方側へ引き出し可能に構成されている。主収納棚３２は、その内側に、箱型の副収納棚４４を備えおり、副収納棚４４は、主収納棚３２の棚開口部３２ａから幅方向の一方側へ引き出し可能に構成されている。副収納棚４４の内側には、パンチ１２の基端部を保持するパンチ保持部材７２が設けられている。【選択図】  図１２
2018089662.tif 000002
【特許請求の範囲】
【請求項１】
板金の曲げ加工に用いられる複数の金型を収納する金型収納ラックであって、
奥行方向の一方側に本体開口部を有した箱型のラック本体と、
前記ラック本体の内側に設けられ、前記本体開口部から奥行方向の一方側へ引き出し可能に構成され、幅方向の一方側に棚開口部を有した主収納棚と、
前記主収納棚に設けられ、前記棚開口部から幅方向の一方側へ引き出し可能に構成された副収納棚と、
前記副収納棚に設けられ、複数の前記金型を保持する金型保持部と、を具備したことを特徴とする金型収納ラック。
【請求項２】
前記金型保持部は、前記ラック本体を曲げ加工機の側方に設置した状態で、前記主収納棚を奥行方向の一方側へ引き出して、前記副収納棚を幅方向の一方側へ引き出すと、前記曲げ加工機の正面側に位置するように構成されている請求項１に記載の金型収納ラック。
【請求項３】
前記金型保持部を鉛直方向に対して幅方向の一方側へ傾くように揺動させる揺動手段を具備したことを特徴とする請求項１に記載の金型収納ラック。
【請求項４】
前記揺動手段は、前記副収納棚の引き出し動作に連動して前記金型保持部を鉛直方向に対して幅方向の一方側へ傾くように揺動させるカム機構であることを特徴とする請求項３に記載の金型収納ラック。
【請求項５】
前記ラック本体は、床面上を転動する複数の車輪を有していることを特徴とする請求項１から請求項４のうちのいずれか１項に記載の金型収納ラック。
【請求項６】
前記ラック本体は、曲げ加工機におけるベースフレームに一体化されていることを特徴とする請求項１から請求項４のうちのいずれか１項に記載の金型収納ラック。
【発明の詳細な説明】
【技術分野】
【０００１】
本発明は、板金の曲げ加工に用いられる複数の金型（パンチ及びダイ）を収納する金型収納ラックに関する。
【背景技術】
【０００２】
プレスブレーキ等の曲げ加工機の側方（側部）に金型収納ラックを設置して、曲げ加工機と金型収納装置との間において金型（パンチ及びダイ）の交換を手動的に行うことがある。そして、従来の一般的な金型収納ラックの構成について簡単に説明すると、次の通りである。
【０００３】
一般的な金型収納ラックは、箱型のラック本体を具備しており、ラック本体は、奥行方向（金型収納ラックの奥行方向）の一方側（正面側）に、矩形の開口部を有している。また、ラック本体は、その内側に、複数の収納棚（引出）を上下方向に沿って段状に備えており、各収納棚は、ラック本体の開口部から奥行方向の一方側へ引き出し可能に構成されている。更に、各収納棚は、その上側に、複数の金型を保持する金型保持部（金型保持部材）を備えている（特許文献１等参照）。
【０００４】
なお、本発明に関連する先行技術として特許文献１に示すもの他に、特許文献２から特許文献５に示すものがある。
【先行技術文献】
【特許文献】
【０００５】
【特許文献１】特開平１０−７１４９９号公報
【特許文献２】特開平７−１８５６６５号公報
【特許文献３】特開２００９−１１３０８２号公報
【特許文献４】特開２００３−１３６１４３号公報
【特許文献５】特開２００４−１７４５９０号公報
【発明の概要】
【発明が解決しようとする課題】
【０００６】
ところで、収納棚をラック本体の開口部から奥行方向の一方側へ引き出した状態において、金型保持部と曲げ加工機におけるテーブル（下部テーブル）の上側の箇所又はラム（上部テーブル）の下側の箇所との間隔（距離）が大きく離れている。換言すれば、金型保持部と曲げ加工機における金型の取付箇所との間隔が大きく離れている。そのため、交換時における金型の移送距離が長くなり、金型の交換に多くの時間と手間を要し、金型の交換の作業能率を高めることが困難になる。
【０００７】
一方、金型収納ラックを曲げ加工機の正面側に設置して、交換時における金型の移送距離を短縮化することも考えられるが、金型収納ラックの設置スペース分だけ曲げ加工の作業スペースが狭くなり、曲げ加工の作業能率が低下することになる。また、金型の交換の度毎に、金型収納ラックを曲げ加工機の側方から正面側へ移動させることも考えられるが、金型収納ラック全体に働く重量が非常に大きいため、金型の交換の作業能率が却って低下することになる。
【０００８】
つまり、曲げ加工の作業スペースを十分に確保して、曲げ加工の作業能率の維持を図りつつ、金型の交換の作業能率を高めることは困難であるという問題がある。
【０００９】
そこで、本発明は、前述の問題を解決することができる、新規な構成からなる金型収納ラックを提供することを目的とする。
【課題を解決するための手段】
【００１０】
本発明の態様は、板金の曲げ加工に用いられる複数の金型（パンチ及びダイ）を収納する金型収納ラックであって、奥行方向の一方側（正面側）に本体開口部を有した箱型のラック本体と、前記ラック本体の内側に設けられ、前記本体開口部から奥行方向の一方側（正面側）へ引き出し可能に構成され、幅方向の一方側（一側面側）に棚開口部を有した主収納棚（主引出）と、前記主収納棚に設けられ、前記棚開口部から幅方向の一方側（一側面側）へ引き出し可能に構成された副収納棚（副引出）と、前記副収納棚に設けられ、複数の前記金型を保持する金型保持部（金型保持部材）と、を具備したことである。
【００１１】
本発明の態様によると、前述のように、前記ラック本体の内側に前記主収納棚が設けられ、前記主収納棚が前記本体開口部から奥行方向の一方側へ引き出し可能に構成されている。前記主収納棚に前記副収納棚が設けられ、前記副収納棚が前記棚開口部から幅方向の一方側へ引き出し可能に構成されている。そのため、前記ラック本体を曲げ加工機の側方（側部）に設置した状態で、前記主収納棚を奥行方向の一方側へ引き出して、前記副収納棚を幅方向の一方側へ引き出すと、前記金型保持部を前記曲げ加工機の正面側に位置させることができる。これにより、前記金型保持部と前記曲げ加工機における金型の取付箇所との間隔（距離）を短くすることができる。
【発明の効果】
【００１２】
本発明によれば、前述のように、前記ラック本体を曲げ加工機の側方に設置した状態で、前記金型保持部と前記曲げ加工機における金型の取付箇所との間隔を短くすることができる。よって、本発明によれば、曲げ加工の作業スペースを十分に確保して、曲げ加工の作業能率の維持を図りつつ、交換時における金型の移送距離を短くして、金型の交換の作業能率を高めることができる。
【図面の簡単な説明】
【００１３】
【図１】図１は、本発明の実施形態に係る金型収納ラックをプレスブレーキの右側に設置した様子を示す正面図である。
【図２】図２は、本発明の実施形態に係る金型収納ラックの左側面図であり、主収納棚を奥行方向の一方側（前方向）へ引き出した後の様子を示している。
【図３】図３は、本発明の実施形態に係る金型収納ラックの右側面図であり、主収納棚を奥行方向の一方側へ引き出した後の様子を示している。
【図４】図４は、主収納棚と副収納棚との関係を示す斜視図である。
【図５】図５は、副収納棚に対するブラケット及びパンチ保持部材等の取付状態を示す分解斜視図である。
【図６】図６（ａ）は、支持ブロックに対する回転軸及びパンチ保持部材等の取付状態を示す斜視図、図６（ｂ）は、図６（ａ）を下方向から見た斜視図である。
【図７】図７（ａ）（ｂ）は、パンチ保持部材及びカム機構との関係を示す斜視図である。図７（ａ）は、副収納棚を幅方向の一方側（左方向）へ引き出す前の様子を示しており、図７（ｂ）は、副収納棚を幅方向の一方側へ引き出した後の様子を示している。なお、図７（ａ）（ｂ）においては、パンチの図示を省略している。
【図８】図８（ａ）は、副収納棚を幅方向の一方側へ引き出す前におけるパンチ及び副収納棚等の様子を示す図、図８（ｂ）は、副収納棚を幅方向の一方側へ引き出す前におけるパンチ及び副収納棚等の様子を示す断面図である。
【図９】図９（ａ）は、副収納棚を幅方向の一方側へ引き出した後におけるパンチ及び副収納棚等の様子を示す図、図９（ｂ）は、副収納棚を幅方向の一方側へ引き出した後におけるパンチ及び副収納棚等の様子を示す断面図である。
【図１０】図１０（ａ）（ｂ）は、本発明の実施形態の作用を説明する図である。図１０（ａ）は、主収納棚を奥行方向の一方側へ引き出す前における金型収納ラックの周辺の斜視図であり、図１０（ｂ）は、主収納棚を奥行方向の一方側へ引き出す前における金型収納ラックの平面図である。
【図１１】図１１（ａ）（ｂ）は、本発明の実施形態の作用を説明する図である。図１１（ａ）は、主収納棚を奥行方向の一方側へ引き出した後における金型収納ラックの周辺の斜視図であり、図１１（ｂ）は、主収納棚を奥行方向の一方側へ引き出した後における金型収納ラックの平面図である。
【図１２】図１２（ａ）（ｂ）は、本発明の実施形態の作用を説明する図である。図１２（ａ）は、副収納棚を幅方向の一方側へ引き出した後における金型収納ラックの周辺の斜視図であり、図１２（ｂ）は、副収納棚を幅方向の一方側へ引き出した後における金型収納ラックの平面図である。
【図１３】図１３は、本発明の実施形態の変形例を説明する図であり、ラック本体がプレスブレーキにおけるベースフレームに一体化している様子を示す正面図である。
【発明を実施するための形態】
【００１４】
本発明の実施形態について図１から図１２（ａ）（ｂ）を参照して説明する。
【００１５】
なお、本願の明細書及び特許請求の範囲において、「設けられる」とは、直接的に設けられることの他に、別部材を介して間接的に設けられることを含む意であって、「備えられる」と同義である。「備える」とは、直接的に備えることの他に、別部材を介して間接的に備えることを含む意であって、「設ける」と同義である。また、「奥行方向」とは、特に断らない限り、金型収納ラックの奥行方向のことをいい、本発明の実施形態においては、前後方向のことである。「幅方向」とは、特に断らない限り、金型収納ラックの幅方向のことをいい、本発明の実施形態にあっては、左右方向のことである。図面中、「ＦＦ」は、前方向、「ＦＲ」は、後方向、「Ｌ」は、左方向、「Ｒ」は、右方向、「Ｕ」は、上方向、「Ｄ」は、下方向をそれぞれ指している。
【００１６】
図１から図３に示すように、本発明の実施形態に係る金型収納ラック１０は、板金（図示省略）の曲げ加工に用いられる複数の金型としての複数のパンチ１２及び複数のダイ１４を収納する装置である。ここで、本発明の実施形態においては、複数のパンチ１２は、金型長さ（パンチ長さ）の異なる同一形状からなる複数の分割パンチ、及び金型長さの異なる他の同一形状からなる複数の他の分割パンチである。同様に、複数のダイ１４は、金型長さ（ダイ長さ）の異なる同一形状からなる複数の分割ダイ、及び金型長さの異なる他の同一形状からなる複数の他の分割ダイである。
【００１７】
金型収納ラック１０は、板金の曲げ加工を行う曲げ加工機の一例としてのプレスブレーキ１６の右側に設置されている。ここで、プレスブレーキ１６は、ベースフレーム１８を具備しており、ベースフレーム１８は、左右方向に離隔した一対（１つのみ図示）のサイドプレート２０と、一対のサイドプレート２０の下部の間に亘って設けられたテーブル（下部テーブル）２２を有している。プレスブレーキ１６は、一対のサイドプレート２０の上部の間に亘って昇降可能（上下方向へ移動可能）に設けられたラム（上部テーブル）２４を具備している。パンチ１２は、ラム２４の下側にパンチホルダ（図示省略）を介して装着されるようになっている。ダイ１４は、テーブル２２の上側にダイホルダ（図示省略）を介して装着されるようになっている。
【００１８】
金型収納ラック１０は、箱型のラック本体２６を具備しており、ラック本体２６は、奥行方向の一方側（前側）に、矩形の本体開口部２６ａを有している。また、ラック本体２６は、その下側に、床面２８上を転動する複数の車輪３０を有している。
【００１９】
ラック本体２６は、その内側に、箱型の主収納棚（主引出）３２を備えている。また、主収納棚３２は、４つのスライドレール機構３４によってラック本体２６の本体開口部２６ａから奥行方向の一方側（前方向）へ引き出し可能に構成されている。各スライドレール機構３４は、例えば、国際公開２０１２／００２０４１号公報等に示す公知の構成からなり、主収納棚３２の幅方向の外側面（左右の外側面）に設けられた固定レール３６と、ラック本体２６の幅方向の内側面（左右の内側面）に奥行方向（前後方向）へ移動可能に設けられかつ固定レール３６を奥行方向へ案内する可動レール３８とからなる。各スライドレール機構３４は、主収納棚３２を奥行方向へ案内する機能の他に、ラック本体２６からの主収納棚３２の離脱を防止する機能を有している。
【００２０】
主収納棚３２は、その内側の中間部に、主収納棚３２の内部空間を上下に仕切る水平な仕切板４０を有している。また、主収納棚３２は、幅方向の一方側（左側）に、２つの矩形の棚開口部３２ａ，３２ｂを上下に有しており、一方の棚開口部３２ａは、仕切板４０の上側に位置し、他方の棚開口部３２ｂは、仕切板４０の下側に位置している。
【００２１】
主収納棚３２は、その正面側（前面側）の上部に、主収納棚３２を引き出し不能にロックするためのラッチ錠４２を備えている。ラッチ錠４２は、例えば、特開平８−２９１６５８号公報等に示す公知の構成からなり、その揺動操作によって主収納棚３２のロック状態を解除するように構成されている。
【００２２】
図２及び図４に示すように、主収納棚３２は、その内側の上部に、複数のパンチ１２を収納するための箱型の副収納棚（副引出）４４を備えている。また、副収納棚４４は、一対のスライドレール機構４６によって主収納棚３２の棚開口部３２ａから幅方向の一方側（左方向）へ引き出し可能に構成されている。各スライドレール機構４６は、スライドレール機構３４と同様に公知の構成からなり、副収納棚４４の奥行方向の内側面（前後の内画面）に設けられた固定レール４８と、副収納棚４４の下面に設けられかつ固定レール４８に幅方向（左右方向）へ移動可能に案内される可動レール５０とからなる。各スライドレール機構４６は、副収納棚４４を幅方向へ案内する機能の他に、副収納棚４４に働く重量を支える機能、及び主収納棚３２からの副収納棚４４の離脱を防止する機能を有している。図４において、スライドレール機構３４の図示を省略している。
副収納棚４４は、その側面側の中央部に、副収納棚４４を引き出し不能にロックするためのラッチ錠５２を備えている。ラッチ錠５２は、ラッチ錠４２と同様に公知の構成からなり、その揺動操作によってラッチ錠５２のロック状態を解除するように構成されている。
【００２３】
主収納棚３２は、その内側の下部に、複数のダイ１４を収納するための箱型の副収納棚（副引出）５４を備えている。また、副収納棚４４と同様に、副収納棚５４は、一対のスライドレール機構（図示省略）によって主収納棚３２の棚開口部３２ｂから幅方向の一方側（左方向）へ引き出し可能に構成されている。副収納棚５４は、その側面側の中央部に、副収納棚５４を引き出し不能にロックするためのラッチ錠５６を備えている。ラッチ錠５６は、ラッチ錠４２，５２と同様に公知の構成からなり、その揺動操作によって副収納棚５４のロック状態を解除するように構成されている。
【００２４】
続いて、複数のパンチ１２を保持するための副収納棚４４の内部構成等、及び複数のダイ１４を保持するための副収納棚５４の内部構成等について説明する。
【００２５】
図５から図７（ａ）（ｂ）、及び図８（ｂ）に示すように、副収納棚４４は、その内側に、幅方向（左右方向）に離隔した一対のブラケット５８を複数の取付ボルト６０によって一体的に備えており、各ブラケット５８は、奥行方向（前後方向）に延びている。また、各ブラケット５８は、その中央部に、支持ブロック６２を複数の取付ボルト６４によって一体的に備えており、各支持ブロック６２は、その適宜位置に、奥行方向に平行に延びた回転軸（回動軸）６６をその水平な軸心周りに回転可能（回動可能）に備えている。換言すれば、副収納棚４４の内側には、一対の回転軸６６がブラケット５８及び支持ブロック６２を介して水平な軸心周りに回転可能かつ幅方向に離隔して設けられている。更に、各回転軸６６の両端部には、揺動リンク６８の上端部（基部）が一体的に連結されている。幅方向に隣接する各一対の揺動リンク６８のうち、一方の揺動リンク６８には、連結リンク７０の一端部が回転自在（回動自在）に連結されており、他方の揺動リンク６８には、連結リンク７０の他端部が回転自在に連結されている。
【００２６】
奥行方向に隣接する各一対の揺動リンク６８は、それらの上面の間に亘って、複数のパンチ１２の基端部を保持する金型保持部としてのパンチ保持部材７２を一体的に備えている。換言すれば、副収納棚４４の内側には、一対のパンチ保持部材７２がブラケット５８、支持ブロック６２、一対の回転軸６６、及一対の揺動リンク６８を介して幅方向に離隔して設けられている。各パンチ保持部材７２は、対応する回転軸６６に一体的に連結されており、対応する回転軸６６の軸心周りに揺動可能に構成されている。また、各パンチ保持部材７２は、断面Ｕ字状の２枚の保持板７４からなり、奥行方向に平行に延びている。なお、各パンチ保持部材７２が幅方向へ延びていれば奥行方向に平行でなくてもよい。パンチ保持部材７２によるパンチ１２の保持状態を安定させるため、保持板７４とパンチ１２の基端部との間には、弾性体からなるスペーサを介在させることが望ましい。
【００２７】
そして、各パンチ保持部材７２は、ラック本体２６をベースフレーム１８（図１参照）の左側に設置した状態で、主収納棚３２を奥行方向の一方側へ引き出して、副収納棚４４を幅方向の一方側へ引き出すと、プレスブレーキ１６（図１参照）の正面側に位置するように構成されている。
【００２８】
金型収納ラック１０は、副収納棚４４の引き出し動作に連動（追従）して各パンチ保持部材７２を鉛直方向に対して幅方向の一方側（左方向）へ傾くように揺動させるカム機構７６を具備している。そして、カム機構７６の具体的な構成は、次の通りである。
【００２９】
図４、図７（ａ）（ｂ）から図９（ａ）（ｂ）に示すように、主収納棚３２は、その奥行方向の各内側面に、取付プレート７８を一体的に備えており、取付プレート７８には、ガイド部としてのカム溝８０が幅方向（副収納棚４４の引き出し方向）に沿って設けられている。また、一方のパンチ保持部材７２は、その両端部に、幅方向の他方側（右方向）へ突出した支持アーム８２を一体的にそれぞれ備えている。各支持アーム８２は、その先端部に、対応するカム溝８０に移動可能に係合するカムフォロア８４をその水平な軸心周りに回転可能に備えている。
【００３０】
そして、図７（ａ）（ｂ）に示すように、各カム溝８０は、副収納棚４４の引き出し動作に連動して各パンチ保持部材７２を幅方向の一方側へ傾くように揺動させるように構成されている。具体的には、各カム溝８０は、幅方向の他方側（右側）に位置する水平な第１水平部８０ａと、幅方向の一方側（左側）に位置する水平な第２水平部８０ｂと、第１水平部８０ａと第２水平部８０ｂを繋ぎかつ水平方向に対して傾斜した傾斜部８０ｃとからなっている。第２水平部８０ｂは、各パンチ保持部材７２の傾き角に応じた分だけ第１水平部８０ａよりも高い位置に設定されている。
【００３１】
なお、各パンチ保持部材７２を幅方向の一方側へ傾くように揺動させる揺動手段として、カム機構７６を用いる代わりに、回転軸６６に連結されかつ揺動操作によって回転軸６６を回転させるための操作レバー（図示省略）を用いてもよい。
【００３２】
図２及び図４に示すように、複数のダイ１４を保持するための副収納棚５４の内部構成は、複数のパンチ１２を保持するための副収納棚４４の内部構成と同様である。具体的には、副収納棚５４の内側には、一対の他の回転軸（図示省略）が水平な軸心周りに回転可能に設けられている。副収納棚５４の内側には、複数のダイ１４の基端部を保持する金型保持部としての一対のダイ保持部材（図示省略）が幅方向に離隔して設けられている。各ダイ保持部材は、対応する他の回転軸に一体的に連結されており、対応する他の回転軸の軸心周りに揺動可能に構成されている。そして、各ダイ保持部材は、ラック本体２６をベースフレーム１８の左側に設置した状態で、主収納棚３２を奥行方向の一方側へ引き出して、副収納棚５４を幅方向の一方側へ引き出すと、プレスブレーキ１６の正面側に位置するように構成されている。
【００３３】
金型収納ラック１０は、副収納棚５４の引き出し動作に連動して各ダイ保持部材を鉛直方向に対して副収納棚５４の引き出し側へ傾くように揺動させる他のカム機構（図示省略）を具備している。他のカム機構の構成は、カム機構７６の構成と同様である。
【００３４】
続いて、本発明の実施形態の作用及び効果について説明する。
【００３５】
図１０（ａ）（ｂ）及び図１１（ａ）（ｂ）に示すように、プレスブレーキ１６と金型収納ラック１０との間で金型（パンチ１２及びダイ１４）の交換を行う際には、まず、ラッチ錠４２の揺動操作によって主収納棚３２のロック状態を解除する。そして、主収納棚３２をラック本体２６の本体開口部２６ａから奥行方向の一方側（前方向）へ引き出す。
【００３６】
主収納棚３２を奥行方向の一方側へ引き出した後に、図１１（ａ）（ｂ）及び図１２（ａ）（ｂ）に示すように、ラッチ錠５２の揺動操作によって副収納棚４４のロック状態を解除する。そして、副収納棚４４を主収納棚３２の棚開口部３２ａから幅方向の一方側（左方向）へ引き出す。また、図８（ａ）（ｂ）及び図９（ａ）（ｂ）に示すように、カム機構７６によって副収納棚４４の引き出し動作に連動して各パンチ保持部材７２を鉛直方向に対して副収納棚４４の引き出し側（左方向）へ傾くように揺動させる。
【００３７】
同様に、図１１（ａ）（ｂ）及び図１２（ａ）（ｂ）に示すように、ラッチ錠５６の揺動操作によって副収納棚５４のロック状態を解除する。そして、副収納棚５４を主収納棚３２の棚開口部３２ｂから幅方向の一方側へ引き出す。また、他のカム機構によって副収納棚５４の引き出し動作に連動して各ダイ保持部材を鉛直方向に対して副収納棚５４の引き出し側へ傾くように揺動させる。
【００３８】
前述のように、ラック本体２６の内側に主収納棚３２が設けられ、主収納棚３２がラック本体２６の本体開口部２６ａから奥行方向の一方側へ引き出し可能に構成されている。主収納棚３２の内側に２つの副収納棚４４，５４が設けられ、２つの副収納棚４４，５４が主収納棚３２の棚開口部３２ａ，３２ｂから幅方向の一方側へ引き出し可能にそれぞれ構成されている。そのため、ラック本体２６をプレスブレーキ１６の側方（右側）に設置した状態で、主収納棚３２を奥行方向の一方側へ引き出して、副収納棚４４，５４を幅方向の一方側へ引き出すと、パンチ保持部材７２、ダイ保持部材をプレスブレーキ１６の正面側に位置させることができる。これにより、パンチ保持部材７２等とプレスブレーキ１６における金型１２，１４の取付箇所（ラム２４の下側の箇所、テーブル２２の上側の箇所）との間隔（距離）を短くすることができる。
【００３９】
以上の如き、本発明の実施形態によれば、ラック本体２６をプレスブレーキ１６の側方（右側）に設置した状態で、パンチ保持部材７２等とプレスブレーキ１６における金型１２，１４の取付箇所との間隔を短くすることができる。よって、本発明の実施形態によれば、曲げ加工の作業スペースを十分に確保して、曲げ加工の作業能率の維持を図りつつ、交換時における金型１２，１４の移送距離を短くして、金型１２，１４の交換の作業能率を高めることができる。特に、各パンチ保持部材７２等を鉛直方向に対して副収納棚４４等の引き出し側へ傾くようにしているため、交換時における金型１２，１４の移送距離をより短くして、金型１２，１４の交換の作業能率をより高めることができる（本発明の実施形態の第１の効果）。
【００４０】
また、前述のように、ラック本体２６が複数の車輪３０を有しているため、金型収納ラック１０を他のプレスブレーキ（図示省略）の側方にまで移動させることができる。そのため、本発明の実施形態によれば、他のプレスブレーキと金型収納ラック１０との間で金型１２，１４の交換を行うこともでき、金型収納ラック１０の汎用性を高めることができる（本発明の実施形態の第２の効果）。
【００４１】
（変形例）
本発明の実施形態の変形例について図１３を参照して説明する。
【００４２】
図１３に示すように、本発明の実施形態の変形例においては、ラック本体２６の構成から複数の車輪３０（図１参照）を省略している。そして、ラック本体２６は、プレスブレーキ１６におけるベースフレーム１８に一体化されている。
【００４３】
そして、本発明の実施形態の変形例によれば、本発明の実施形態と同様の作用及び効果（本発明の実施形態の第２の効果を除く）を奏する他に、金型収納ラック１０の転倒を確実に防止して、金型収納ラック１０の安全性を高めることができる。
【００４４】
なお、本発明は、前述の実施形態の説明に限られるものではなく、適宜の変更を行うことにより、その他、種々の態様で実施可能である。そして、本発明に包含される権利範囲は、前述の実施形態に限定されないものである。
【符号の説明】
【００４５】
１０    金型収納ラック
１２    パンチ（金型）
１４    ダイ（金型）
１６    プレスブレーキ（曲げ加工機）
１８    ベースフレーム
２０    サイドプレート
２２    テーブル（下部テーブル）
２４    ラム（上部テーブル）
２６    ラック本体
２６ａ  本体開口部
２８    床面
３０    車輪
３２    主収納棚（主引出）
３２ａ  棚開口部
３２ｂ  棚開口部
３４    スライドレール機構
４２    ラッチ錠
４４    副収納棚（副引出）
４６    スライドレール機構
５２    ラッチ錠
５４    副収納棚（副引出）
５６    ラッチ錠
５８    ブラケット
６２    支持ブロック
６６    回転軸
６８    揺動リンク
７０    連結リンク
７２    パンチ保持部材（金型保持部）
７４    保持板
７６    カム機構
７８    取付プレート
８０    カム溝
８０ａ  第１水平部
８０ｂ  第２水平部
８０ｃ  傾斜部
８２    支持アーム
８４    カムフォロア
【図１】
2018089662.tif 000003
【図２】
2018089662.tif 000004
【図３】
2018089662.tif 000005
【図４】
2018089662.tif 000006
【図５】
2018089662.tif 000007
【図６】
2018089662.tif 000008
【図７】
2018089662.tif 000009
【図８】
2018089662.tif 000010
【図９】
2018089662.tif 000011
【図１０】
2018089662.tif 000012
【図１１】
2018089662.tif 000013
【図１２】
2018089662.tif 000014
【図１３】
2018089662.tif 000015